(57)【要約】【課題】  パチンコ機の保管、輸送取扱時に前面枠体に対する遊技盤の位置ずれが発生しないように保護する。【解決手段】  遊技盤（５）と、球誘導レール（５０）と裏面側に前記遊技盤を嵌合する遊技盤収容面（２２０）を備えた合成樹脂製の前面枠体（２）とを備えたパチンコ機において、前記遊技盤収容面（２２０）は前記球誘導レールの外周縁を取り囲む状態の第一の立て壁（２２５）が形成された開口が設けられる一方、前記遊技盤の厚みに対応する第二の立て壁（２２７）が上下左右側部に対設されて遊技盤収容開口（２２６）が構成され、前記遊技盤を前面方向、上下方向、左右方向のいずれの方向にも、所定の巾域を有する面接触で維持収容する構成であることを特徴とするパチンコ機。【選択図】  図４
2004154603.tif 000002
【特許請求の範囲】
【請求項１】
遊技球が転動する遊技領域を備えた遊技盤（５）と、
前記遊技盤に設けられ、前記遊技領域を囲う球誘導レール（５０）と、
裏面側に前記遊技盤を嵌合する遊技盤収容面（２２０）を備えた合成樹脂製の前面枠体（２）と、
を備えたパチンコ機において、
前記遊技盤収容面（２２０）は
前記球誘導レールの外周縁を取り囲む状態の第一の立て壁（２２５）が形成された開口が設けられる一方、前記遊技盤の厚みに対応する第二の立て壁（２２７）が上下左右側部に対設されて遊技盤収容開口（２２６）が構成され、前記遊技盤を前面方向、上下方向、左右方向のいずれの方向にも、所定の巾域を有する面接触で維持収容する構成であることを特徴とするパチンコ機。
【発明の詳細な説明】
【技術分野】
【０００１】
この発明は遊技盤とそれを取着する前面枠体を備えたパチンコ機に関する。
【背景技術】
【０００２】
従来のパチンコ機は、側枠（木枠）と、該側枠に対して開閉自在であり、かつ、遊技盤を固定する前面枠体と、該前面枠体の四角形の開口に固定される金枠に開閉自在に設けられ、かつ、前記遊技盤の前方を覆うガラス板を保持するガラス枠等から構成され、側枠と前面枠体は合板、板材等で構成され、金枠とガラス枠が金属製で構成されたものが一般的である。
【０００３】
しかし、近年、遊技盤を遊技者の興趣を起こさせるよう装飾化を図るために、前面枠体を合成樹脂製としたものが提案されている（特開平７−２１３７２２号公報参照）。
【発明の開示】
【発明が解決しようとする課題】
【０００４】
しかしながら、従来のパチンコ機においては、パチンコ機の搬送中などに変形等を生じやすかった。
【課題を解決するための手段】
【０００５】
この発明の請求項１のパチンコ機は、遊技球が転動する遊技領域を備えた遊技盤（５）と、
前記遊技盤に設けられ、前記遊技領域を囲う球誘導レール（５０）と、
裏面側に前記遊技盤を嵌合する遊技盤収容面（２２０）を備えた合成樹脂製の前面枠体（２）と、
を備えたパチンコ機において、
前記遊技盤収容面（２２０）は
前記球誘導レールの外周縁を取り囲む状態の第一の立て壁（２２５）が形成された開口が設けられる一方、前記遊技盤の厚みに対応する第二の立て壁（２２７）が上下左右側部に対設されて遊技盤収容開口（２２６）が構成され、前記遊技盤を前面方向、上下方向、左右方向のいずれの方向にも、所定の巾域を有する面接触で維持収容する構成であることを特徴とするものである。
【発明の効果】
【０００６】
この発明によれば、遊技盤が適正な厚み内で確実に前面枠体に収容できるため、遊技盤を収納した後運搬時等の振動衝撃によって前面枠体に対する遊技盤の位置ずれ発生防止ができる。
【発明を実施するための最良の形態】
【０００７】
この発明の実施形態を図面に基づいて説明する。図１はパチンコ機の正面図、図２は同縦断面図、図３は前面板、側枠に取付けた前面枠体の前面側の斜視図、図４は前面枠体の背面側の斜視図、図５は前面板の一部破断正面図、図６は同背面図、図７は図５のＡ−Ａ断面図、図８は図５のＢ−Ｂ断面図、図９はガラス板収容枠の正面図、図１０はガラス板収容枠の斜視図、図１１はガラス板収容枠を前面板に取付けた斜視図、図１２は同要部拡大背面図、図１３は図１２のＣ−Ｃ断面図、図１４は図１２のＤ−Ｄ断面図、図１５はガラス板収容枠の軸支部の斜視図である。
【０００８】
パチンコ機の全体構造
図１および図２において、パチンコ機は側枠（木枠）１と、該側枠１の一側に開閉自在に軸支された合成樹脂製前面枠体２と、該前面枠体の前面上部には遊技盤５の遊技領域を囲いうる遊技開口が形成され、遊技面の外周に沿って前面装飾部が設けられ、裏面のガラス板収容枠取付け部にガラス板収容枠４が装着された前面板３と、その前面下部に開閉自由に設けられかつ上皿８が固着される上皿取付け用前板７と、該取付け板の下方の前面枠体２に設けられる下皿９、操作ハンドル１０等から構成されている。又、前記前面枠体２は遊技盤５の遊技領域に相当する面積を規制する開口が設けられ、その開口に沿う周囲は、装飾部とし、その背面に遊技盤５が当てられてレールで囲われる遊技領域を開口内に位置させ、その遊技盤５の裏面に機構基板６が開閉係脱可能に設けられる。また、機構基板６とは、賞球を貯留誘導制御し、セーフ球を導出し、アウト球を排出し、球タンクやタンクレール、払出し装置や回路基板が装着され、前面枠体２に開閉係脱され遊技盤を前面枠体２に収納した状態で閉鎖固着されるものを指す。
【０００９】
側枠
側枠１は木製板材を枠組みし、その一側上下に軸支部材１１が備えられ、合成樹脂製前面枠体２の支軸部が開閉自由に軸支される。この側枠１の開放側の内側上下に鍵装置と係脱して前面枠体２を開閉するための係止金具が取付けられている。木製側枠１は合成樹脂で成形された前面板３および前面枠体２より側端を若干巾広に構成して、合成樹脂で形成された前面板、前面枠体の物理的損傷から防護するように構成されて、パチンコ機の保管、輸送取り扱い時に、木製部位を主体として取り扱い、樹脂前面板部、前面枠体部が損傷することを防護することを可能とする。
【００１０】
前面板
この発明の要部を構成する前面板３の構成について、図１乃至図３、図５乃至図８、図１１乃至図１４を参照して説明する。前面板３は遊技盤５の遊戯領域を囲い、前面の装飾効果を高めるように構成され、裏面には透視しうるガラス板４０を装着するガラス板収容枠４を取付けている。前面板３は、遊技盤５の遊技領域を囲う遊技開口３１を有する主枠部材３０と、主枠部材３０の前面装飾部３２に装着される複数の合成樹脂製装飾部材３３と、背面側に取着されるガラス板収容枠４とから構成される。
【００１１】
図５乃至図８において、主枠部材３０は遊技盤の遊戯領域を囲むようにかまぼこ型遊技開口３１が打ち抜き形成され、打ち抜き形成された当該前面板によりパチンコ機前面部を覆う領域をパチンコ機側枠側まで及ぶように拡大して遊技開口外周に沿った状態に前面装飾部３２が樹脂の一体成形により構成され、パチンコ機遊技盤面上のパチンコ球転動領域外周の装飾機能及び趣向感を高めた。前面装飾部３２には遊技盤のレールに沿って円弧状に形成された表示部、装飾部が構成される。表示部、装飾部はレールに沿って同心円状に形成され、各々分離して形成されている。内部に表示体、光源を配して表示制御する場合には、同心円状に配置された表示部より、表示状態が広い領域に拡散する状態や、中央部に向かって収束する状態をパチンコ機に表して、極めて斬新な趣向感を実現できる効果を生じる。
【００１２】
すなわち、前面板３の主枠部材３０の上部両側に後述の表示体からの投光を拡散収束して表示する装飾レンズ体装着部３４、遊技開口上部周縁に沿って装飾レンズ板取付け部３５および遊技開口両側周縁に沿って装飾レンズ板取付け部３６が形成され、前記装飾レンズ体装着部３４と装飾レンズ板取付け部３５、３６に装飾部材３３が装着される。装飾部材３３として、装飾レンズ体装着部３４には透光性合成樹脂製装飾レンズ体７０が、又装飾レンズ板取付け部３５、３６に透光性合成樹脂製装飾レンズ板７１、７２が装設されている。前面板３と装飾レンズ体７０、装飾レンズ板７１、７２とは外観上一体形成品の状態でパチンコ機へセットするようにしてある。前面板はこれを分割しないで、単一の部品として一体形成され、パチンコ機への組付けを容易としてある。前面板３自体に前面装飾部を設けて、従来遊技盤に設けられていたコーナー飾りは不要としてある。
【００１３】
前面板３の前面装飾部３２に装飾部材３３として装飾レンズ体７０、装飾レンズ板７１、７２を装着することにより、遊技盤とは別の箇所に設けられ、前面板が機体内部に収容された表示体からの投光の照度を高め、パチンコ遊技に関わる報知機能と趣向感を高め装飾効果を拡大する機能を発揮することができる。この前面板３には、装飾レンズ体、装飾レンズ板が設けられるだけで、表示ランプ、ＬＥＤそれに付属する配線、回路等を設けない構造としてあるので、遊技盤にランプ、ＬＥＤ、装飾レンズ等を装設するための部位の組立工程や、部品点数の削減が可能とされる。
【００１４】
前記装飾レンズ体装着部３４は、表示体からの投光を分離して表示する複数の光束案内孔３１０が一体的に形成され、表示体からの投光を分離して、単一表示体からの複数の装飾部における表示を可能とするとともに、各別の表示体からの投光が隣接する表示面に洩れて干渉することを光束案内孔により防止している。前記光束案内孔３１０として、装飾レンズ体を嵌め合う装飾レンズ取付け案内溝３１１が設けられ、その内面壁３１２の中央に表示体からの投光を透過する装飾用孔３１３、その両側に係受け孔３１４が設けられている。
【００１５】
図１４において、装飾レンズ体７０は表示体からの投光を透過しうる透光性合成樹脂製で、表示体の照明を入乱反射するレンズ面７０１と、前記レンズ装着部３４の案内溝３１１に嵌め合いできる周壁７０２と、その周壁の両端後部に一体形成された係止め片７０３が形成されている。而して、前面板における装飾レンズ体７０の取付けが前面板に形成された係受け孔３１４と装飾レンズ体７０の係止め片７０３とによりワンタッチ装着されるのを可能としている。合成樹脂製の前面板と同じく合成樹脂製の装飾レンズ体の嵌め合いにより、木製遊技盤に対する合成樹脂製の装飾レンズとの係着関係において発生する膨張率の相違によるがたつきや嵌め合い異常を防止する効果を生じる。又、このレンズ体の内部には表示体等を収容せず、レンズ体における入乱反射等により装飾機能を簡便に発揮している。前面板内部に表示体、ランプを設けず装飾機能を発揮させて、部品点数と製造工程の簡略化を果たし、製造原価を削る効果を生じる。
【００１６】
図７および図１３において、装飾レンズ体７０は上部のレンズ体の方が側部のレンズ体より直径が大きく、かつ、高さの異なる表示面を有する。すなわち、装飾レンズ体７０は複数段に形ち作られた表示面、装飾面を有する。装飾レンズ体７０の表示レンズ面を他の前面板面より高く突出形成し、所定の厚みをもって楕円状に形成された装飾レンズ体７０をガラス防護手段とし、前面板の転倒時における衝撃を吸収し、物理作用がガラス面におよぶことを防ぐ構造としている。
【００１７】
図５乃至図８において、上部の装飾レンズ板用取付け部３５には、表示体からの投光を透過する複数の装飾用孔３２０が形成されている。この装飾用孔３２０は前面枠体２の表示体発光ホルダー８１と同じ横長状とし、その装飾用孔にホルダー８１の仕切壁８２と同じ仕切壁を設け、表示体８０の表示効果を各別に発揮させるようにすることもできる。装飾レンズ板７１は、表示体からの投光を透過しうる透光性合成樹脂製で、表示体の照明で装飾機能を発揮しうるように設けられている。又、側面の装飾レンズ板７２も同じ合成樹脂製である。前記装飾レンズ板７１は上部の装飾レンズ体７０間の取付け部３５に取付けられ、かつ、装飾レンズ板７２はそのレンズ体より遊技開口３１の両側に沿った取付け部３６に装飾として固定されている。
【００１８】
上記実施の形態では、前面板に表示ランプ等を内蔵しない場合について説明したが、これに限られるものではなく、他の実施形態として、前面板裏面側に表示ランプ基板を装着するとともに該表示ランプ基板に複数の電気回路端子を同時に接続するコネクタを設け、また該コネクタを他の表示ランプ基板や中継基板、若しくは制御回路基板、或いは外部回路基板に設けられたコネクタに脱着可能とし、複数回線を同時に接続する帯状配線を収容する基板配線収容部を設けてもよい。又、前面板の内部に表示ランプ、ＬＥＤは遊技状況に対応してこれを適宜点灯駆動する構成としてもよい。
【００１９】
前面板３の両側縁部３１５は曲面状に形成され、合成樹脂体への作用外力を分散して損傷の発生を防ぎ、かつ、円弧状としてあるので、従来の角張った形状に比べて傷が付きにくく、かつ又、パチンコ機本体側部に丸みを持った趣向感を持たせることができる。又前面板３の遊技開口３１の内周は遊技盤に向かって斜面に形成された内周縁部３１６を有し、針金等の不正部材のガラス板間隙への挿入を難しくする構造としている。
【００２０】
前面板３の開放側の側面に前面枠体２に設けられる鍵装置の取付け箇所として前面枠体２の前面側の凸状鍵部２０９を位置指定して嵌合する鍵装置用凹部３７が形成され、パチンコ機に設けられる鍵装置の取付け箇所が確保されている。この鍵装置用凹部３７には前面枠体２の前面側の鍵部２０９が嵌合されて固定されるので、前面板３の浮動を阻止でき、又、鍵部２０９が露出して損傷されやすくなることを阻止している。前面枠体２の中心鍵部は前面板３の鍵装置用凹部３７の前面に若干露出状に形成されている。
【００２１】
さらに、前面板３の枢支側の前面中央の球抜き用操作口３２１が設けられ、球抜き用操作口３２１を前面枠体２の球抜き孔用穴２１１と合致させ、球抜き用操作口に対してピン等を挿入し、前面枠体２の背面の機構基板６に設けられる球抜き装置を機構的な連係手段を介して賞球タンクより賞球貸し球をパチンコ機内から機外に球抜き処理する構造としてある。この球抜き用操作口にピンを挿入して、球抜き装置を作用する手段は、上記のものに限られるものではなく、球抜き用操作口にピンを挿入しパチンコ機内部に設けられた球抜き操作検出スイッチを作動し、ソレノイドを連係作動し、球抜き装置の球抜き片を開放し、球抜き処理する構造としてもよい。
【００２２】
前面板３の枢支側の上部には、前面枠体２の前面枢支側の上部角部の凸状の前面板用軸支部２０２に合致しうる形状の切欠部３１７が形成され、その切欠部３１７の上面に背面側に第１の軸支手段２６として出没可能に装着された軸部材３１８が突出させられ、前面枠体２の前面板用軸支部２０２に設けた軸部材用支持孔２０３に軸部材３１８が係入可能にセットされる。前面板用軸支部２０２は角部に円弧が付けられ、前面板３の切欠部３１７もそれに合致するように角部が円弧状に設けられている。又前面板の枢支側の下部には、背面にガラス板収容枠４に設けられた軸受け部材４０４を収容する軸受け部材収容部３０８が形成され、ガラス板収容枠４に設けられた軸受け部材４０４の軸受け孔４０３に合致する軸受け孔３０９が形成され、ガラス板収容枠４の軸受け部材４０４が軸受け部材収容部３０８に装着されてねじで固定されている。前面板３に装着した上部の軸部材３１８も、下部の軸受け部材４０４も前面板３と前面枠体２の外面に露出させないので、軸部の保護ができる。かつ又、前面板３の軸部材３１８を前面枠体２の軸部材用支持孔２０３に係着時に、その切欠部３１７の上面に突出する軸部材３１８は前面枠体２の前面板用軸支部２０２の下面に沿って円滑に軸部材用支持孔２０３に係入され、係受け、取付け作業が円滑にできる。
【００２３】
図６において、前面板３の背面の裏面構造について説明する。主枠部材３０の背面外周縁にリブ３０１が設けられ、かつ前記遊技開口３１の内周縁にリブ３０２が設けられ、そのリブ間に若干低い縦横のリブ３０３が設けられ、かつ、後述のガラス板収容枠４の取付け位置を案内する位置決め手段３８が一体形成され、一方ガラス板収容枠４には位置決め手段に対応する位置決め受け部が形成され、その位置決め手段３８にガラス板収容枠４を案内状態で取付け位置を指定し円滑かつ容易に固定手段で固定するようにしてある。
【００２４】
前記合成樹脂製前面板の主枠部材３０の背面に位置決め手段３８として、ガラス板枠収容溝３０４が形成されて、このガラス板枠収容溝３０４にガラス板収容枠４が案内されて取付け位置を指定し前面板３にガラス板収容枠４が装着される。ガラス板枠収容溝３０４は、外周縁のリブ３０１の内側にガラス収容枠の線状に曲折形成された位置決め段部４０１を嵌合する段付き位置決め受け部３０５、ガラス板収容枠４の位置決め孔４０２を嵌合する位置決め部３０６が構成されている。又主枠部材３０の背面の適所にガラス板収容枠４の取付けビス用取付け孔４７と合致する位置にビス受け孔３９が設けられる。又、前面板３の枢支側の中央に、球抜き用操作孔付き凸部３０７が設けられ、この球抜き用操作孔に細いピンを差し込み背面の機構基板６の誘導通路の球抜き装置を操作しうるようにする。
【００２５】
ガラス板収容枠
図９乃至図１４において、ガラス板収容枠４は２枚のガラス板４０を収容するように上部にガラス板誘入口４１、側部にガラス板案内溝４２、下部にガラス板受け面４３が設けられた四角形状の金属製枠体で、枠体の正面側の上部と両側に巾広の歪み防止兼取付け用板面部４４、４５、４６が形成され、該歪み防止兼取付け用板面部４４、４５、４６に取付けビス用取付け孔４７が透設され、取付けビス４０８を係入して前記前面板３の背面の所定位置に取着される。ガラス板案内溝４２とガラス板受け面４３は断面コ字型で２列に形成され、ガラス板誘入口４１には２枚のガラス間に間隔をとる間隙部材４８が設けられている。２枚のガラス板４０が上部の間隙部材４８の前後のガラス板誘入口４１よりガラス板案内溝４２と下部のガラス板受け面４３に挿入されて装着されている。前記ガラス板収容枠４の上部開口に対して、ガラス板収容枠４とガラス板４０との間に形成される間隙を介して不正行為部材、例えば、針金等の遊技盤面、或いはパチンコ機体内への侵入を阻止するために、ガラス板誘入口４１を覆設する蓋部材をガラス板収容枠に開閉係脱可能に設ける構成としてもよい。
【００２６】
前記ガラス板収容枠４の上部の歪み防止兼取付け用板面部４４は前面板３の遊技開口の上部と表示体からの照明を透過する透孔との間を覆うように巾広の帯状板面として、その上縁４１１を線状でＬ型に折り曲げかつ下縁４１２は遊技開口３１の上縁と、光束案内孔３１０とに沿って円弧状に形成されている。ガラス板収容枠４の両側の歪み防止兼取付け用板面部４５、４６も巾広の帯状板面としてその中央に上端から下端まで直線状に曲折形成された位置決め段部４０１が形成され、その位置決め段部４０１に沿って任意の間隔をおいて取付けビス用取付け孔４７が設けられる。上記実施形態では、ガラス板収容枠４の上部に帯状の板面部４４が設けられているが、これに限られるものではなく、補強用板状体として、ガラス板収容枠４の対角線状角部に三角形等角板形状の補強板を設けることとして、ガラス板収容枠を強化固定してもよい。ガラス板収容枠４に前記歪み防止兼取付け用板面部を設けるか、対角線角部に補強板を設ける等により、ガラス板収容枠のねじれ防止ができる。又、ガラス板収容枠４の枠体、直線状位置決め段部の壁部に隣接して、ガラス板収容枠のビス取付け用孔が形成され、ビス着操作時にはこの壁を利用してドライバーをビス取付け用孔に用意したビスに対し係着操作しやすいように構成されている。
【００２７】
図１２および図１５に示すように、ガラス板収容枠４の一側の歪み防止兼取付け用板面部４５（枢支側）には下部に前面枠体２に設けられた第一軸支手段２７の金属製軸受け部材２０４に嵌合装着した軸受け凸部２０５を係入する軸受け孔４０３を有する金属製軸受け部材４０４がねじで固定され、かつ枢支側の中央には前記球抜き用操作孔付き凸部３０７が嵌合される凸部用透孔４０５が設けられ、又、他側の歪み防止兼取付け用板面部４６には上下に前面枠体の鍵装置の係支爪が係脱される係受体４９が設けられ、かつ、前記ガラス板収容枠４の板面部４５、４６に位置決め孔４０２が透設され、前面板３の鍵装置の取付け箇所としての凹部３７と合致する形状の凹部４０７が形成されている。
【００２８】
而して、ガラス板収容枠４を前面板３の背面に取付ける時は、図１２に示すようにガラス板収容枠４の取付け案内角部が前面板３のガラス板収容溝３０４で案内状態で取付け位置を指定し、ガラス板収容枠４に透設された位置決め孔４０２と、前面板３のこれに対応する位置決め部３０６を嵌合し、前面板裏面に形成された取付けビス受け孔３９にガラス板収容枠の板面部４４、４５、４６、枠体の下部の取付けビス用孔４７を介して取付けビス４０８を螺旋入する作業工程をして、前面板にガラス板収容枠を極めて容易かつ確実に所定位置に固着することが可能である。さらに、位置決め案内手段が線状に形成されているので、所定部位への案内作用が広い範囲に対して行うことができるとともに広範囲に渡って位置指定できる。又、装飾用孔（表示用孔）３１３がガラス板収容枠４の案内位置指定をし、レール対応縁部がガラス板収容枠４の案内位置指定をしている。ガラス板収容枠４の板面部４５、４６の直線状折り曲げ形成された位置決め段部４０１がガラス板収容枠自体を補強するとともに該板面部、直線折り曲げ部が合成樹脂製前面板３の骨部として補強作用をしている。
尚、前面板３の裏面に形成された球抜き用操作孔付き凸部３０７に対して、ガラス板収容枠４に開口された凸部用透孔４０５を係入することにより前面板３裏面の所定位置にガラス板収容枠４を複合的に位置決め設置する様にもなっている。
実施の形態によっては、ガラス板収容枠４の取付け案内角部、前面板３のガラス板収容溝３０４、等と球抜き用操作孔付き凸部、凸部用透孔４０５等とで複合的に位置決め設置をすることなく、球抜き用操作孔付き凸部３０７と凸部用透孔４０５との関係でのみ位置決め設定する構成としてもよい。
【００２９】
前記前面板３のガラス板収容溝３０４へのガラス板収容枠４の案内状態で取付け指定、ガラス板収容枠４の位置決め孔４０２と前面板３の位置決め部３０６との嵌合、前面板３の取付けビス受け孔３９とガラス板収容枠４の取付け用ビス用孔４７の取付けビス４０８による固定、ガラス板収容枠４の線状位置決め段部４０１と前面板３のリブに設けた複数箇所の段状位置決め受け部３０５との広い範囲における係合等の構成が、ガラス板収容枠４に収納したガラス板４０のガタ、ズレ防止手段となり、ガラス板４０を前面板３に収納した後におけるガタ、ズレを防ぐことを可能としている。
【００３０】
前記前面板３を前面枠体２に開閉可能かつ係脱可能に装着する構造を説明すると、前面板３の枢支側の背面上部に操作により出没可能にされる軸部材３１８が設けられ、かつ前面板３の枢支側の背面下部にガラス板収容枠４の一側下部に設けられた軸受け部材４０４の装着部３０８が設けられ、その装着部３０８にガラス板収容枠４の軸受け部材４０４の軸受け孔４０３と合致する軸孔３０９が設けられ、前面枠体２に設けられた軸受け凸部２０５をこの軸受け孔４０３、軸孔３０９に係入する第１の組付けステップと、前記前面板の軸部材３１８を没操作状態で前面枠体２の軸部材用軸支部２０２に当接して後軸部材用支持孔２０３に係入する第２のステップによって、前面板３を前面枠体２に開閉自由に装着する。この構造により、合成樹脂製の前面板が、前面枠体に対して取扱い容易で開閉かつ係脱可能にされている。前面枠体２に開閉自在に装着した前面板３の開放角度を９０度以上に設定し、前面板開放時における遊技盤面の調整操作、例えば、釘調整作業を容易にしている。
【００３１】
この前面枠体２の軸受け凸部２０５と、これに係合する軸受け孔４０３が金属製ユニットとして前面枠体と前面板に配置されている。かつ又、前面枠体に装着される軸受け凸部２０５には遊戯球供給皿の装備される前板７を軸支する軸部材が同時に付設されている。この構成とすることにより、前面板３と前板７とを開閉可能かつ係脱可能に一括で軸支することを可能としている。前面板３の前面枠体２への取付け部位を金属製軸部材により補強することができる。またガラス板収容枠の金属製板面部を利用して軸受け部材４０４が設けられ、軸部材の強度が補完されている。合成樹脂製前面板の開閉係脱に際して加わる作用力に対応した強度を設定するための軸部材の取付けを、案内指定する凹凸部が前面板に形成され軸部材の組付けの簡便が図られている。
【００３２】
前面枠体
図１乃至図４において、前面枠体２を説明する。前面枠体２は合成樹脂によって一体成型されるもので、遊技盤５の遊技領域を規制する円形渦巻き状の誘導レール２６の外周面に合致する円形の開口２１を有する主枠体２０と、主枠体２０の前面側の上部の表示体収容部に装着する表示体発光部ホルダー８１と、球誘導レールカバー体２６と、発射レールユニット収容部２３１と、賞球ユニット収容部２３３と、球はまり込み防止縁２３５、その後面側の遊技盤収容面２２０、鍵装置収容部２４１等から構成されている。前面枠体２は前面板より巾広に形成され、合成樹脂で形成され傷に弱い装飾面の前面板が間接的にも前面枠体で保護される。主枠体２０の前面側には周囲に若干巾狭の前面板３が合致する周壁２０１が形成され、その主枠体２０の上部に遊技盤の遊技領域を規制する円形渦巻き状の誘導レール５０の外周面に合致する円形の開口２１が形成され、その周囲に遊技盤周辺の否遊技面を包み隠す遊技盤面部分隠蔽部２２が形成され該遊技盤面部分隠蔽部２２には、その上部に表示体発光部ホルダー８１が装着された表示体収容部２３と、その表示体収容部とは距離間隔を存して側方に別の表示体が装着される表示体収容部２４と、下部に板状部２５とが構成され、かつ、前面板３を関係係脱可能とするための第一の軸支手段２７を前面側に設ける一方、賞球タンクや賞品球排出装置が装備された機構基板６を開閉かつ係脱可能に軸支する第二の軸支手段２８を裏面側に装着可能とし、該前面枠体２を一側において側枠１に第三の軸支手段２９により開閉自在に取付け、他側において鍵装置で鍵を掛ける構造とされている。
【００３３】
この前面枠体２の前面側にガラス板が収容された前面板３を係脱可能かつ開閉可能に取付けるための第一の軸支手段２７と、球排出装置球通路が形成装備された機構基板６を前面枠体２の背面側に開閉可能かつ係脱可能に軸支するための金属製の第二の軸支手段２８とを、位置決め指定して取付ける第１軸支手段位置決め収容部２０６と、第二軸支手段位置決め収容部２０７とを一体形成して、前面板３および機構基板６の軸支部の装着を案内し位置指定して固着させ、迅速かつ簡便なものとした。併せて、機構基板６を内部に閉鎖収容した状態で前面板３が閉鎖覆設された合成樹脂製の前面枠体２をパチンコ機のベース枠となる側枠１に開閉係脱可能とする金属製第三の軸支手段２９を前面枠体２の上側端部を挟持して収容する第三の軸支部材収容部２０８が形成され、前面枠体２を側枠に取付けるための軸部材の前面枠体への装着を円滑なものとした。
【００３４】
前面枠体２の主枠体２０に設けられる遊技領域を規制する開口２１は遊技盤５のほぼ円形の遊戯領域に相当する形状とし、ほぼ四角形の木製遊技盤５が前面枠体２の裏面側の遊技盤収容面２２０内に嵌合され、遊技盤５の遊戯領域を決めるレール５０が円形の開口内に嵌合され、遊技盤５は裏面において係脱手段で止められる。遊技盤周辺の否遊技面を包み隠す遊技盤面部分隠蔽部２２は、ガラス面上と遊技盤面上との間に、遊技盤面部分隠蔽部２２を段違い状に形成することにより、針金等の遊技盤面の遊戯領域への侵入を防ぎ不正防止機能を発揮させるとともに、遊技盤面と遊技盤面部分隠蔽部２２でパチンコ機前面側に従来構成では得られなかった新たな趣向感が出現されている。
【００３５】
前面枠体２の主枠体２０の前面構造は、上部に裏面側に設けられた表示体８０の発光部を内部に収容する表示体発光部ホルダー８１が設けられ、従来機種でパチンコ枠体と遊技盤の上隅に設けられていた表示部を前面枠体に一括収容し、従来パチンコ機本体枠と遊技盤とでそれぞれ表示部及び装飾部を組付けていた不具合を解消し、個別の組立作業とそれに使用する部品点数の減少が図られている。
【００３６】
前記前面枠体２の主枠体２０の前面上部には、前記前面板３の装飾レンズ体７０と中央の装飾レンズ体７１の後部に複数の表示体８０が列設された表示体発光部ホルダー８１を収容する表示体収容部２３と、側方部には前記表示体とは所定の距離間隔を隔てて遊技盤角部に対応して位置し、別の表示体８７を収容する表示体収容部２４とが形成され、それぞれの表示情報伝達効果、装飾効果を互いに干渉し誤認し合わない構成で配置されている。
【００３７】
表示体８０、８７は複数の表示ランプ、ＬＥＤで、故障発生時、前面枠体等不正開放時、磁石不正使用時等の不正発生時、入賞時、始動入賞時、入賞装置内の特定領域にパチンコ球が落入した時、特別な権利がパチンコ機において発生した時、特別な入賞装置が作動した時、図柄表示装置が作動した時、図柄表示装置において特別な表示態様が形成された時、特別な記憶状態が所定の記憶値に致達した時、賞球切れが発生した時、パチンコ機内において賞球、若しくは貸し出し球が充満した時等に、各別に、又は同時に、或いは交互に点灯駆動する構成としてある。また複数の表示ランプの発光色を異ならせ、若しくは切換えて点灯駆動する構成としてもよい。さらには、パチンコ機に設けられた音報知手段と同期させ、点灯駆動される構成としてもよい。
【００３８】
合成樹脂製表示体発光部ホルダー８１は、前記前面板３の装飾レンズ体７０と中央の装飾レンズ体７１を後部から照明しうる横長形状とし、ランプの頭部を誘入しその頭部背面にバックライト面が形成できる領域を凹設し、光の乱反射効果を増大可能とした構成であり、前記表示体収容部２３に合致する大きさに形成されてその収容部に嵌合装着される。該表示体発光部ホルダー８１は複数個の仕切壁８２で区画形成され、凹部の各区画の後壁８３に透孔８４が設けられ、そのホルダーの器体の裏面側に表示体８０、すなわちランプが備えらた基板８５が装着され、基板８５の表示体８０が前記透孔８４を通じて各区画に挿入されて構成され、その後壁８３を前面枠体２の表示体収容部２３に嵌合してビス止めされている。表示体発光部ホルダー８１の両端の区画の表示体８０は前記装飾レンズ体７０用であり、中間の区画の表示体８０は前記装飾レンズ板７１用である。この構成とすることにより、複数個の表示体８０それぞれの表示効果を各別に発揮させるとともに各表示体の発光点を保護することができる。又前面枠体２の主枠体２０の両側方部に設けた表示体収容部２４には別の表示体８７を位置させ、その表示効果を発揮させる。
【００３９】
前面枠体２の下方部分の板状部２５には、発射レールユニットを位置指定して収容する発射レールユニット収容部２３１と、賞球回収ユニットを位置指定して収容する賞球ユニット収容部２３３とが形成されている。すなわち、発射レールユニット収容部２３１には、発射レール２３２が取付けられ、この発射レールは上皿から供給される打球を発射位置で受け止めて発射装置の打球槌で弾発されるように設けられる。発射レール２３２と遊技盤５に設けられる球誘導レール５０の端部との間にファール通路２３７が構成され下皿に打損ないの打球が導かれる。又、遊技盤５の背面のアウト球排出通路から流下するアウト球を後部に流出させるアウト球排出通路２３４が設けられ、前面枠体２の背面の機構基板６のアウト球排出路に接続される。この前面枠体２は厚み奥行きを深く持たせない状態で、しかも発射レール装置と賞球回収ユニットとの前面枠体における所定位置への取付けを位置案内指定し、適性な状態で迅速に行わせることを可能としている。
【００４０】
前面枠体２の下方の発射レール２３２の他端側に、賞球ユニット収容部２３３が装着されている。該賞球ユニット収容部２３３の両側に球はまり込み防止縁２３５が設けられ、前面板３が開放状態の時前面枠体下部に球が滞まらない貯留球排除構造が形成されている。前面枠体２の下部は前面板が開放された時前面枠体下部に球が落下することを阻止する閉鎖構造に構成されている。前面枠体２の下部には打球供給皿付き前板７の第一軸支手段２７と溢れ球用下皿収容部２１０が開放形成されている。さらに、前記開口２１には遊技盤に設けられた球誘導レールの側端部を覆設する球誘導レールカバー体２６が一体形成される。又、下部前面に前面板３を枢支する第一軸支部材２７が設けられている。なお、２１１は球抜き孔用穴である。前面枠体２に形成した凹部が、打球供給皿（前板）軸支係入部と溢れ球用下皿のパチンコ機前面への膨出量を適正な状態で押さえることができる。
【００４１】
球誘導レールカバー体２６は合成樹脂性前面枠体２に一体成形して、パチンコ球のガラス面への衝突衝撃を特別な保護部材をパチンコ機のガラス面に対して取付けることなく、前面枠体において防護することを可能としている。又、前面枠体２には、下部両側に、複数のシール貼着用開口部２１２とシール貼着用開口２１３が証紙等シール２１４の面領域に合わせて凹設又は開口している。このシール貼着用開口部２１２はシール剥がしを防止し、針金等の不正部材の侵入を阻止するために、遊技盤面との間に間隙が形成されない形態として凹設された壁を有する。このシール貼着用開口部２１２は複数のシール２１４を遊技盤５のシール貼着部に重ね貼り可能としている重ね貼り許可構造を有する。従って、このシール貼着用開口部２１２、シール貼着用開口２１３を通じて遊技盤５のシール貼着部５２にシール２１４を貼着するので、シール２１４の剥がし行為を未然に防護することができる。
【００４２】
前面枠体２の裏面構造は、図２及び図４において、中央部に遊技盤収容面２２０と、電気表示基板取付け部２２１と、配線スペース２２３、鍵装置収容部２４１等が構成されている。該遊技盤収容面２２０は遊技盤５をその上部、下部、左右両側部の全てにおいて当接状態として収容するように前面枠体２の中央に一体形成されている。該遊技盤収容面２２０は、遊技盤５に装設された球誘導レール５０の外周縁を取り囲む状態の第１の立て壁２２５が形成された開口２１が設けられる一方、収容される遊技盤５の厚みに対応する第２の立て壁２２７が上下左右側部に対設されて遊技盤収容開口２２６が構成され、パチンコ機内に脱着可能に収容する遊技盤５を前面方向、上下方向、左右方向の何れの方向にも、所定の巾域を有する面接触で維持収容する構成にされ、遊技盤が適正な厚み内で確実に前面枠体内に収納できる。遊技盤５を収納した後、運搬時等の振動衝撃によって前面枠体に対する遊技盤の位置ずれ発生防止ができる。
【００４３】
前面枠体２には電気表示基板を位置決めして取付け可能とする電気表示基板取付け部２２１が上部側方に一体形成されている。合成樹脂製前面枠体２に電気表示基板取付け部２２１を一体形成したので、特別な装着手段を遊技盤や前面板に設けることなく、迅速にパチンコ機に表示体を装着できる。又、その遊技盤収容面２２０の周縁部にほぼ長形状で中心部は格子状に近い形状に枠体補強リブ２２２が立設形成され、上部には前記表示体発光部ホルダー８１の基板８５、表示体８０、８７等への各種配線を導出する配線スペース２２３が設けられるとともに合成樹脂製前面枠体２の物理的強度を補完するための筒状部２２４が一体形成されている。合成樹脂製前面枠体２の一体成形時に配線処理用の配線スペース（ダクト）と、強度を補強するためのリブ、筒状部が一括して設けられているので、新たに特別な補強手段を前面枠体に装着して配線処理ダクトを構成しなくてもよい。
【００４４】
前面枠体２の背面には、柱状の鍵装置２４０を断面Ｌ字状で位置指定し係収容する鍵装置収容部２４１と、パチンコ機本体木製の側枠１に当該前面枠体２を回動係脱自在に装着するための金属製軸支部材１１を上下側端部の複数箇所で位置指定して装備する金属製軸支部材取付け部２４５とが設けられている。
【００４５】
遊技盤５を収容する前面枠体２に、パチンコ機の前面板３及び側枠１を一体化して固着するための鍵部材を取付け位置を案内指定して収容する鍵取付け面２４１ａに鍵収容孔２４６を透設し、これに鍵の筒部を誘入させるとともに、前記取付け面２４１ａに鍵を誘導して前面枠体２に装着する案内工程と、前面枠体２に透設された取付け孔を介してビスを前面枠体２の取付けボスに螺旋入する固着工程とにより、前面枠体に極めて容易かつ迅速に鍵装置を装着することができる。合成樹脂製の前面枠体２を木製側枠１に、開閉かつ係脱可能に装着するための、折り曲げ形成された金属製軸支部材１１を収容する軸部材取付け部２４５を前面枠体２に形成した。これにより開閉係脱時における前面枠体２の耐久強度が全体を金属とすることなく補完できる。
【００４６】
前面枠体２の裏面側の鍵装置収容部２４１に装着する鍵装置２４０は、合成樹脂製の前面板３のガラス板収容枠４に設けた係受体４９が係脱される第１の係止部２４２と木製の側枠１の係止金具が係脱される第２の係止部２４３とが相対向して備えられた柱状の鍵装置２４０の取付け位置を決める鍵装置位置決め体２４８が構成され、その位置決め体２４８に取付けた鍵装置の第１の係止部２４２の鍵収容孔２４６が上下に設けられ、該鍵収容孔２４６より前面側に突出する第１係止部２４２に前記前面板３の背面に装着したガラス板収容枠４の係受体４９が係脱可能とされ、第２の係止部２４３は後方に突出して側枠１の係止金具に係脱可能とされている。
【００４７】
前面枠体２の裏面側には、打球止体２３０を係止する打球止部装着部２２９が一体形成され、遊技盤５に球止手段を組付けなくともよく、作業工程と部品点数の簡略化が図れる効果を生じる。
【００４８】
前面枠体２の裏面側には、アウト球を、パチンコ機裏面側で開閉可能に覆設され賞品球払出し装置等が設けられた機構基板６に導出するためのアウト球排出路２３４が一体形成されている。遊技盤下部において発生したアウト球をアウト球排出口よりアウト球排出路２３４を介して排出し、他のアウト球誘導手段を設けて導くための構成を設けることを不要としてある。
【００４９】
前面枠体２の背面側には、遊技盤を遊技盤収容面２２０に収容して後、離脱不能とする遊技盤５の係止め部材２５０、２５１が複数箇所に設けられ、Ｌ字状に形成された遊技盤面への作用片側が短く形成された係止め部材２５０を、係止め部材の固定操作前においては大きく操作面を前面枠体の端縁側に突出させ、固定後においては操作面を前面枠体の端縁に収容する作動変位を呈する形態とするとともに、操作片は作用片側に比較し固定後においての開放操作を容易とするため所定の広い巾として形成された開放作用面が形成され、遊技盤固定時には遊技盤縁外への操作部の露出量を無くすとともに開放離脱操作を容易としてある。
【００５０】
前面枠体２の裏面には、発射装置２６１を位置決め指定して装着するための打球発射装置取付け部２６０が形成され、発射装置の前面枠体２における所定位置への装着が前面枠体２に形成された位置決め溝と取付けボスとにより所定位置に正確に案内され固着される。前面枠体に装設された打球発射レールの打球待機位置と打球発射用装置に設けられる打球ハンマーの槌先とが狂いなく正確にセッティングできる。
【００５１】
なお、前面板を導電性樹脂により形成することにより前面板全体をノイズからの防護手段とし、およびパチンコ機内から取出した静電気電荷を前面板に導くアース接続部を前面板に形成してもよい。例えば、アース配線接続部を前面板に形成する。同様に前面枠体を導電性樹脂で形成してもよい。
【００５２】
遊技盤
前記前面枠体２の遊技盤収容面２２０に収容される遊技盤５は、ほぼ正方形の合板により形成され、その表面には図１に示すように円形渦巻き状に誘導レール５０が設けられ、該誘導レール５０の内側が遊技領域５１とされて打球が転動するものである。遊技領域内には、可変表示装置、入賞装置、風車、釘等が設けられ、かつ、遊技領域の最下部にはアウト球口が設けられている。該遊技盤５の前面枠体２の遊技盤収容面２２０への装着構造は、遊技盤５の遊技領域５１を囲うレールを第１の立て壁２２５に嵌合し、遊技盤５の周囲を第２の立て壁２２７に合致させて遊技盤収容面２２０に収容して後、前面枠体２の背面複数箇所に設けられたＬ字状に形成された遊技盤面への作用片側が短く形成された係止め部材２５０等を回動して遊技盤５の背面に係合させて固定する。
【００５３】
以上の実施形体を示したが、この発明はこの形態に限定されるものではなく、この発明の要旨を逸脱しない範囲で、様々な形態を実施しうるものである。
【図面の簡単な説明】
【００５４】
【図１】この発明のパチンコ機を示す正面図である。
【図２】同縦断面図である。
【図３】前面板、側枠に取付けた前面枠体の前面側の斜視図である。
【図４】前面枠体の背面側の斜視図である。
【図５】前面板一部破断正面図である。
【図６】同背面図である。
【図７】図５のＡ−Ａ断面図である。
【図８】図５のＢ−Ｂ断面図である。
【図９】ガラス板収容枠の正面図である。
【図１０】ガラス板収容枠の斜視図である。
【図１１】ガラス板収容枠を前面板に取付けた斜視図である。
【図１２】同要部拡大背面図である。
【図１３】図１２のＣ−Ｃ断面図である。
【図１４】図１２のＤ−Ｄ断面図である。
【図１５】ガラス板収容枠の軸支部の斜視図である。
【符号の説明】
【００５５】
１…側枠、２…前面枠体、３…前面板、４…ガラス板収容枠、５…遊技盤、６…機構基板、２０…主枠体、２１…開口、３０…主枠部材、３１…遊技開口、３２…前面装飾部、３３…装飾部材、３４…装飾レンズ体装着部、３８…位置決め手段、４０…ガラス板、４４…取付け用板面部、４５…取付け用板面部、４６…取付け用板面部、７０…装飾レンズ体、７１…装飾レンズ板、７２…装飾レンズ板、８０…表示体、３０４…ガラス板収容枠収容溝、３０５…位置決め受け部、３０６…位置決め部。
【図１】
2004154603.tif 000003
【図２】
2004154603.tif 000004
【図３】
2004154603.tif 000005
【図４】
2004154603.tif 000006
【図５】
2004154603.tif 000007
【図６】
2004154603.tif 000008
【図７】
2004154603.tif 000009
【図８】
2004154603.tif 000010
【図９】
2004154603.tif 000011
【図１０】
2004154603.tif 000012
【図１１】
2004154603.tif 000013
【図１２】
2004154603.tif 000014
【図１３】
2004154603.tif 000015
【図１４】
2004154603.tif 000016
【図１５】
2004154603.tif 000017